(57)【要約】【課題】運転開始時に器具の故障判定の精度を改善可能なもの、運転開始時に蒸発熱交換器への着霜の可能性がある場合に除霜運転を実行可能なもの、等を提供することである。【解決手段】ヒートポンプ給湯装置１は、圧縮機２１と凝縮熱交換器２２と膨張弁２３と蒸発熱交換器２４とを冷媒配管２５で接続してなるヒートポンプ式熱源機３を備え、蒸発熱交換器２４の着霜を検知した場合には、蒸発熱交換器２４の除霜を行うものであり、ヒートポンプ式熱源機３の運転開始から第１設定時間以内に、圧縮機２１から吐出される冷媒温度又は凝縮熱交換器２２で加熱される湯水温度が、各々に設定された第１設定温度以上にならない場合には、除霜運転を実行する制御ユニット４を備えている。【選択図】図２
2015224803.tif 000002
【特許請求の範囲】
【請求項１】
圧縮機と凝縮熱交換器と膨張手段と蒸発熱交換器とを冷媒配管で接続してなるヒートポンプ式熱源機を備え、前記蒸発熱交換器の着霜を検知した場合には、前記蒸発熱交換器の除霜を行うヒートポンプ給湯装置において、
前記ヒートポンプ式熱源機の運転開始から第１設定時間以内に、前記圧縮機から吐出される冷媒温度又は前記凝縮熱交換器で加熱される湯水温度が、各々に設定された第１設定温度以上にならない場合には、除霜運転を実行する制御手段を備えたことを特徴とするヒートポンプ給湯装置。
【請求項２】
前記制御手段は、前記除霜運転終了後の第２設定時間以内に前記冷媒温度又は前記湯水温度が前記第１設定温度以上にならない場合には、器具の故障であると判定して所定のエラー動作を実行することを特徴とする請求項１に記載のヒートポンプ給湯装置。
【請求項３】
前記制御手段は、外気温度が第２設定温度以上の場合には、前記除霜運転を実行することなく器具の故障であると判定して所定のエラー動作を実行することを特徴とする請求項１又は２に記載のヒートポンプ給湯装置。
【発明の詳細な説明】
【技術分野】
【０００１】
本発明はヒートポンプ給湯装置に関し、特に運転開始時における器具の故障判定の精度の改善を図ったものに関する。
【背景技術】
【０００２】
従来から、ヒートポンプ給湯装置が一般に広く普及している。この種のヒートポンプ給湯装置は、冷媒により湯水を加熱するヒートポンプ式熱源機、加熱された湯水を貯留する貯湯タンクを備えた貯湯給湯装置、ヒートポンプ式熱源機と貯湯タンクとの間に湯水を循環させる加熱循環回路等を備え、貯湯タンク内の湯水を加熱循環回路に循環させてヒートポンプ式熱源機で加熱して、加熱された湯水を貯湯タンク内に戻して貯留し、貯湯タンクから蛇口や風呂等の所望の給湯先に給湯するものである。
【０００３】
上記のヒートポンプ式熱源機は、圧縮機、凝縮熱交換器、膨張弁、蒸発熱交換器を冷媒配管を介して接続することでヒートポンプ回路を構成し、冷媒配管に封入された冷媒を利用して給湯運転が行われる。この給湯運転では、圧縮機と蒸発熱交換器用の送風ファンとが夫々駆動され、凝縮熱交換器によってヒートポンプ回路を流れる冷媒と加熱循環回路を流れる湯水との間で熱交換が行われて湯水が加熱される。
【０００４】
上記のヒートポンプ式熱源機においては、蒸発熱交換器で冷媒が外気から吸熱する構造上、寒冷地や冬場等では、蒸発熱交換器の表面に大気中の水蒸気が付着して凍結することで霜が発生する虞がある。蒸発熱交換器に霜が付着すると、蒸発熱交換器における吸熱効率が著しく低下してしまい、結果的にヒートポンプ式熱源機の運転効率が低下してしまうので、一般的に、ヒートポンプ式熱源機には、給湯運転を停止して蒸発熱交換器に付着した霜を取り除く為の除霜運転の機能が設けられている。
【０００５】
ところで、上記のヒートポンプ式熱源機においては、長期間の使用や落雷等により圧縮機や膨張弁等が故障する可能性がある。このため、ヒートポンプ給湯装置は、運転開始時に器具の故障判定を行うことが望ましい。従来では、運転開始時に所定時間経過するまでに、圧縮機から吐出される冷媒温度が所定温度以上にならない場合には、器具に異常が発生していると故障判定を行い、ヒートポンプ式熱源機の運転を停止している。また、例えば、特許文献１の給湯装置においては、運転開始から所定時間経過するまでに、貯湯タンクに供給する湯水温度が所定温度に達しない場合には、器具が故障していると判定する。
【先行技術文献】
【特許文献】
【０００６】
【特許文献１】特許４１２８２１２号公報
【発明の概要】
【発明が解決しようとする課題】
【０００７】
しかし、従来のヒートポンプ給湯装置や特許文献１の給湯装置の故障判定の機能では、寒冷地や冬場等において蒸発熱交換器が積雪等で塞がっている場合、器具自体は正常であっても、外気と冷媒との間で熱交換ができないので、運転開始時に、圧縮機から吐出される冷媒温度や凝縮熱交換器で加熱される湯水温度が上昇せず、器具が故障していると判定する場合がある。
【０００８】
従って、ヒートポンプ給湯装置の運転開始時に、圧縮機や膨張弁等の器具が正常であるにも関わらず、器具が故障していると判定されてしまい、ヒートポンプ給湯装置の運転停止や故障報知等の所定のエラー動作が実行されるという問題がある。
【０００９】
本発明の目的は、ヒートポンプ給湯装置において、運転開始時に器具の故障判定の精度を改善可能なもの、運転開始時に蒸発熱交換器への着霜の可能性がある場合に除霜運転を実行可能なもの、等を提供することである。
【課題を解決するための手段】
【００１０】
請求項１のヒートポンプ給湯装置は、圧縮機と凝縮熱交換器と膨張手段と蒸発熱交換器とを冷媒配管で接続してなるヒートポンプ式熱源機を備え、前記蒸発熱交換器の着霜を検知した場合には、前記蒸発熱交換器の除霜を行うヒートポンプ給湯装置において、前記ヒートポンプ式熱源機の運転開始から第１設定時間以内に、前記圧縮機から吐出される冷媒温度又は前記凝縮熱交換器で加熱される湯水温度が、各々に設定された第１設定温度以上にならない場合には、除霜運転を実行する制御手段を備えたことを特徴としている。
【００１１】
請求項２のヒートポンプ給湯装置は、請求項１の発明において、前記制御手段は、前記除霜運転終了後の第２設定時間以内に前記冷媒温度又は前記湯水温度が前記第１設定温度以上にならない場合には、器具の故障であると判定して所定のエラー動作を実行することを特徴としている。
【００１２】
請求項３のヒートポンプ給湯装置は、請求項１又は２の発明において、前記制御手段は、外気温度が第２設定温度以上の場合には、前記除霜運転を実行することなく器具の故障であると判定して所定のエラー動作を実行することを特徴としている。
【発明の効果】
【００１３】
請求項１の発明によれば、ヒートポンプ給湯装置は、ヒートポンプ式熱源機の運転開始から第１設定時間以内に、圧縮機から吐出される冷媒温度又は凝縮熱交換器で加熱される湯水温度が、各々に設定された第１設定温度以上にならない場合には、除霜運転を実行する制御手段を備えたので、運転開始時に冷媒温度又は湯水温度の上昇が見られない場合、蒸発熱交換器への着霜の可能性があるとして除霜運転を実行することができ、器具が正常であるにも関わらず故障しているという誤判定を防止することで、故障判定の精度を改善することができる。
【００１４】
請求項２の発明によれば、制御手段は、除霜運転終了後の第２設定時間以内に冷媒温度又は湯水温度が第１設定温度以上にならない場合には、器具の故障であると判定して所定のエラー動作を実行するので、除霜運転を実行しても冷媒温度又は湯水温度の上昇が見られない場合、器具が故障していると確実に故障判定することができる。
【００１５】
請求項３の発明によれば、制御手段は、外気温度が第２設定温度以上の場合には、除霜運転を実行することなく器具の故障であると判定して所定のエラー動作を実行するので、外気温度が高い場合、蒸発熱交換器への着霜も発生しないため、除霜運転を実行しないことで故障判定の時間を短縮することができる。
【図面の簡単な説明】
【００１６】
【図１】本発明の実施例１に係るヒートポンプ給湯装置の概略構成図である。
【図２】故障判定運転制御のフローチャートである。
【図３】実施例２に係る故障判定運転制御のフローチャートである。
【発明を実施するための形態】
【００１７】
以下、本発明を実施するための形態について実施例に基づいて説明する。
【実施例１】
【００１８】
先ず、本発明に係るヒートポンプ給湯装置１の全体構成について説明する。
図１に示すように、ヒートポンプ給湯装置１は、湯水を貯留する貯湯タンク５を備えた貯湯給湯装置２、貯湯タンク５の湯水の加熱を行うヒートポンプ式熱源機３、ヒートポンプ給湯装置１を制御する制御ユニット４、貯湯給湯装置２とヒートポンプ式熱源機３との間に湯水を循環させる加熱循環回路８ａ，８ｂ等から構成されている。
【００１９】
図１に示すように、貯湯給湯装置２は、縦長筒状の外周面を有する貯湯タンク５、各種の配管６，７，８ａ，８ｂ、湯水循環ポンプ１１、開閉弁１２、混合弁１３、主制御ユニット１６、外装ケース１７等を備えている。貯湯タンク５は、ヒートポンプ式熱源機３で加熱された高温の湯水（例えば、６５〜９０℃）を貯留するものである。貯湯タンク５には、複数の湯水温度センサ５ａ〜５ｄが高さ方向所定間隔おきの位置に配置されている。
【００２０】
貯湯タンク５の下端部には、給水配管６と上流側の加熱循環回路８ａとが接続されている。給水配管６には、貯湯タンク５へ低温の上水を供給する為の開閉弁１２が設けられている。貯湯タンク５の上端部には、下流側の加熱循環回路８ｂと出湯配管７とが接続され、加熱循環回路８ｂから戻された高温の湯水を貯湯タンク５内に貯留し、給湯時には貯湯タンク５内の高温の湯水を出湯配管７に供給することができる。
【００２１】
外装ケース１７は、薄鋼板製の箱状に形成され、貯湯タンク５、各種の配管類６，７、加熱循環回路８ａ，８ｂの一部、湯水循環ポンプ１１、開閉弁１２、混合弁１３、各種の湯水温度センサ１５ａ〜１５ｄ、主制御ユニット１６等を収容している。尚、湯水温度センサ１５ａは、加熱循環回路８ｂにおける凝縮熱交換器２２の熱交換器通路部２２ａの出口側に設けられ且つ熱交換器通路部２２ａから流出する湯水温度を検出し、この温度検出信号を主制御ユニット１６に供給する。
【００２２】
次に、ヒートポンプ式熱源機３について説明する。
図１に示すように、ヒートポンプ式熱源機３は、冷媒により湯水を加熱するヒートポンプ回路２０、主制御ユニット１６に接続され且つヒートポンプ式熱源機３を制御する補助制御ユニット４３、これらを収納する外装ケース４５等を備えている。ヒートポンプ式熱源機３は、さらに、送風モータ２７ａで駆動される蒸発熱交換器用の送風ファン２７、除霜運転の為のバイパス通路３１及び除霜弁３２を有している。
【００２３】
ヒートポンプ回路２０は、圧縮機２１、湯水加熱用の凝縮熱交換器２２、高圧の冷媒を急膨張させて温度と圧力を下げる膨張弁２３、外気熱吸収用の蒸発熱交換器２４を有し、これら機器２１〜２４が冷媒配管２５を介して接続されて構成され、冷媒配管２５に収容された冷媒を利用して給湯運転を行う。
【００２４】
圧縮機２１は、気相状態の冷媒を断熱圧縮して温度上昇させる公知の密閉型圧縮機である。
【００２５】
凝縮熱交換器２２は、加熱循環回路８ａ，８ｂ間に設置された熱交換器通路部２２ａと、冷媒配管２５の一部となる内部通路２２ｂとを有する二重管で構成されている。この凝縮熱交換器２２において、内部通路２２ｂを流れる冷媒と加熱循環回路８ａから熱交換器通路部２２ａに供給される湯水との間で熱交換され、湯水は加熱され冷媒は冷却され液化する。
【００２６】
膨張弁２３（膨張手段に相当する）は、液相状態の冷媒を断熱膨張させ温度低下させる。この膨張弁２３は、絞り量が可変な制御弁からなる。尚、絞り量が可変な膨張弁２３の代わりに絞り量が一定の膨張弁を採用しても良い。
【００２７】
蒸発熱交換器２４は、冷媒配管２５に含まれる蒸発器通路部２４ａを有し、この蒸発器通路部２４ａは伝熱管と複数のフィンとを有している。この蒸発熱交換器２４において、蒸発器通路部２４ａを流れる冷媒と外気との間で熱交換され、冷媒は外気から吸熱して気化する。
【００２８】
冷媒配管２５は、圧縮機２１の吐出側と凝縮熱交換器２２の入口側とを接続する冷媒通路２５ａ、凝縮熱交換器２２の出口側と膨張弁２３の入口側とを接続する冷媒通路２５ｂ、膨張弁２３の出口側と蒸発熱交換器２４の入口側とを接続する冷媒通路２５ｃ、蒸発熱交換器２４の出口側と圧縮機２１の導入側とを接続する冷媒通路２５ｄを備えている。
【００２９】
冷媒配管２５には、圧縮機２１の吐出側に設けられ且つ圧縮機２１から吐出する冷媒温度を検知する圧縮機吐出側温度センサ２９ａ、膨張弁２３の入口側に設けられ且つ膨張弁２３に流入する冷媒温度を検知する膨張弁入口側温度センサ２９ｂ、膨張弁２３の出口側に設けられ且つ膨張弁２３から流出する冷媒温度を検知する膨張弁出口側温度センサ２９ｃ、蒸発熱交換器２４の出口側に設けられ且つ蒸発熱交換器２４から流出する冷媒温度を検知する蒸発熱交換器出口側温度センサ２９ｄ等が設けられている。外装ケース４５又は蒸発熱交換器２４には、外気温度を検知する外気温度センサ２９ｅが設けられている。
【００３０】
冷媒配管２５には、凝縮熱交換器２２と膨張弁２３とをバイパスするように、冷媒通路２５ａと冷媒通路２５ｃとに接続されたバイパス通路３１が設けられている。バイパス通路３１には、凝縮熱交換器２２と膨張弁２３とに並列接続されるように且つ除霜運転時に補助制御ユニット４３によって開閉制御される除霜弁３２が設けられている。蒸発熱交換器２４の着霜を検知した場合には、除霜弁３２を開放して除霜運転を行う。
【００３１】
ヒートポンプ式熱源機３の給湯運転時において、圧縮機２１により高圧に圧縮された加熱状態の冷媒は、凝縮熱交換器２２に送られ、湯水循環ポンプ１１の駆動により貯湯タンク５の下端部から加熱循環回路８ａを経て熱交換器通路部２２ａに流入した水と熱交換してその水を暖め、温度低下して液化した冷媒は膨張弁２３に送られ、加熱された湯水が加熱循環回路８ｂを通って貯湯給湯装置２の貯湯タンク５に貯留され、ヒートポンプ式熱源機３を経由する加熱動作を繰り返すことで貯湯タンク５に高温の湯水が貯留される。
【００３２】
次に、制御ユニット４について説明する。
図１に示すように、ヒートポンプ給湯装置１は、主制御ユニット１６と補助制御ユニット４３からなる制御ユニット４によって制御される。各種の温度センサ等の検出信号が制御ユニット４に送信され、この制御ユニット４により、貯湯給湯装置２とヒートポンプ式熱源機３の動作、各種のポンプの作動・停止、各種の弁の開閉状態の切り換え及び開度調整等を制御し、各種運転（給湯運転、除霜運転等）を実行する。
【００３３】
主制御ユニット１６は、ユーザーが操作可能な操作リモコン４６との間でデータ通信可能であり、操作リモコン４６のスイッチ操作により目標給湯温度が設定されると、その目標給湯温度データが操作リモコン４６から主制御ユニット１６に送信される。補助制御ユニット４３は、主制御ユニット１６との間でデータ通信可能であり、主制御ユニット１６からの指令に従ってヒートポンプ式熱源機３の各種機器（圧縮機２１、膨張弁２３、送風モータ２７ａ、除霜弁３２等）の駆動制御を行う。
【００３４】
次に、本発明に関連する故障判定運転制御について説明する。
制御ユニット４（制御手段に相当する）は、ヒートポンプ式熱源機３の運転開始から第１設定時間以内に、圧縮機２１から吐出される冷媒温度が、第１設定温度以上にならない場合には、除霜運転を実行し、除霜運転終了後の第２設定時間以内に冷媒温度が第１設定温度以上にならない場合には、器具の故障であると判定して所定のエラー動作を実行し、また、外気温度が第２設定温度以上の場合には、除霜運転を実行することなく器具の故障であると判定して所定のエラー動作を実行する故障判定運転制御を実行可能である。
【００３５】
次に、このヒートポンプ式熱源機３を運転開始する際に、制御ユニット４により自動的に実行される故障判定運転制御について、図２のフローチャートに基づいて説明する。尚、図中の符号Ｓｉ（ｉ=１，２，・・）は各ステップを示す。この故障判定運転制御の制御プログラムは、制御ユニット４に予め格納されている。
【００３６】
図２のフローチャートにおいて、この制御が開始されると、最初にＳ１において、制御ユニット４は、ヒートポンプ式熱源機３の運転（起動）が開始されたか否かを判定し、操作リモコン４６の操作やタイマー等に基づきヒートポンプ式熱源機３の運転が開始されたと判定した場合、Ｓ１の判定がＹｅｓとなり、Ｓ２に移行し、Ｓ１の判定がＮｏのうちはＳ１を繰り返す。
【００３７】
次に、Ｓ２においては、ヒートポンプ式熱源機３の各種機器（圧縮機２１、膨張弁２３、送風モータ２７ａ等）を通常の起動時の条件で制御することで、ヒートポンプ式熱源機３の運転を開始し、カウントＮに０を設定し、Ｓ３に移行する。
【００３８】
次に、Ｓ３において、第１設定時間（ヒートポンプ式熱源機３の出力が安定した状態になる時間、例えば１５〜２０分程度）経過したか否かを判定し、第１設定時間経過している場合、Ｓ３の判定がＹｅｓとなり、Ｓ４に移行し、Ｓ３の判定がＮｏのうちはＳ３を繰り返す。
【００３９】
次に、Ｓ４において、圧縮機吐出側温度センサ２９ａの検出信号を読み込み、この検出信号に基づいて、制御ユニット４は、圧縮機２１から吐出する吐出冷媒温度を算出し、Ｓ５に移行する。
【００４０】
次に、Ｓ５において、吐出冷媒温度が第１設定温度（例えば４０〜７０度程度）未満か否かの判定を行い、吐出冷媒温度が第１設定温度未満の場合（第１設定温度以上でない場合）には、Ｓ５の判定がＹｅｓとなり、Ｓ６に移行する。吐出冷媒温度が第１設定温度以上の場合には、Ｓ５の判定がＮｏとなり、Ｓ７に移行し、ヒートポンプ式熱源機３の器具が正常であると判定して、リターンする。尚、第１設定温度は、要求される冷媒吐出温度から２０℃程度低い温度に設定されることが望ましい。
【００４１】
次に、Ｓ６において、カウントＮ（除霜運転の実行回数）が設定回数（例えば２回）未満か否かの判定を行い、カウントＮが設定回数未満の場合には、Ｓ６の判定がＹｅｓとなり、Ｓ８に移行し、カウントＮが設定回数以上である場合には、Ｓ６の判定がＮｏとなり、Ｓ９に移行する。
【００４２】
次に、Ｓ８において、外気温度センサ２９ｅの検出信号を読み込み、この検出信号に基づいて、制御ユニット４は、ヒートポンプ式熱源機３の外気温度を算出し、Ｓ１０に移行する。
【００４３】
次に、Ｓ１０において、外気温度が第２設定温度（例えば５℃程度）未満か否かの判定を行い、外気温度が第２設定温度未満の場合（第２設定温度以上でない場合）には、Ｓ１０の判定がＹｅｓとなり、Ｓ１１に移行し、外気温度が第２設定温度以上の場合には、Ｓ１０の判定がＮｏとなり、Ｓ１４に移行し、ヒートポンプ式熱源機３が故障していると判定する。即ち、外気温度が第２設定温度以上の場合には、除霜運転を実行することなく器具が故障していると判定する。
【００４４】
次に、Ｓ１１において、所定時間（例えば５〜１０分程度）除霜運転を実行し、カウントＮに（Ｎ＋１）を設定する。即ち、ヒートポンプ式熱源機３の運転開始から第１設定時間以内に、圧縮機２１から吐出される冷媒温度が、第１設定温度以上にならない場合には、且つ、外気温度が第２設定温度以上でない場合には、除霜運転を実行する。
【００４５】
尚、除霜運転では、制御ユニット４は、送風ファン２７を停止し、除霜弁３２を開弁状態に切り換えると共に膨張弁２３を全閉状態に切り換える。すると、ヒートポンプ式熱源機３が正常であれば、圧縮機２１から吐出される高温高圧の冷媒は、凝縮熱交換器２２には流れずバイパス通路３１を通って蒸発熱交換器２４に流れ、蒸発熱交換器２４に霜が付着している場合は霜を融解することで除霜が行われる。所定時間が経過した後、除霜運転を終了して通常運転に復帰し、Ｓ４に移行する。
【００４６】
Ｓ１１の後のＳ４において、圧縮機吐出側温度センサ２９ａの検出信号を読み込み、この検出信号に基づいて、制御ユニット４は、圧縮機２１から吐出する吐出冷媒温度を算出し、Ｓ５に移行し、吐出冷媒温度が第１設定温度未満の場合には、Ｓ５の判定がＹｅｓとなり、Ｓ６に移行し、Ｓ６において、カウントＮが設定回数以上である場合、つまり、除霜運転を設定回数実行している場合、Ｓ６の判定がＮｏとなり、Ｓ９に移行する。
【００４７】
次に、Ｓ９において、第２設定時間（除霜運転終了後に出力が安定した状態になる時間、例えば５分程度）経過したか否かを判定し、第２設定時間経過している場合、Ｓ９の判定がＹｅｓとなり、Ｓ１２に移行し、Ｓ９の判定がＮｏのうちはＳ９を繰り返す。
【００４８】
次に、Ｓ１２において、圧縮機吐出側温度センサ２９ａの検出信号を読み込み、この検出信号に基づいて、制御ユニット４は、圧縮機２１から吐出する吐出冷媒温度を算出し、Ｓ１３に移行する。
【００４９】
次に、Ｓ１３において、吐出冷媒温度が第１設定温度（例えば４０〜７０度程度）未満か否かの判定を行い、吐出冷媒温度が第１設定温度未満の場合（第１設定温度以上でない場合）には、Ｓ１３の判定がＹｅｓとなり、Ｓ１４に移行し、ヒートポンプ式熱源機３の器具が故障していると判定する。即ち、除霜運転終了後の第２設定時間以内に冷媒温度が第１設定温度以上にならない場合には、器具が故障していると判定する。吐出冷媒温度が第１設定温度以上の場合には、Ｓ１３の判定がＮｏとなり、Ｓ７に移行し、ヒートポンプ式熱源機３の器具が正常であると判定して、リターンする。
【００５０】
次に、Ｓ１５において、Ｓ１４で器具の故障であると判定しているので、所定のエラー動作を実行する。即ち、ヒートポンプ式熱源機３に異常が発生しているので、所定のエラー動作として、ヒートポンプ式熱源機３の運転を停止し、器具の故障を操作リモコン４６の表示や音声等を介して使用者に報知して、その後、一連の制御を終了する。
【００５１】
次に、本発明のヒートポンプ給湯装置１の作用及び効果について説明する。
ヒートポンプ給湯装置１は、ヒートポンプ式熱源機３の運転開始から第１設定時間以内に、圧縮機２１から吐出される冷媒温度が、第１設定温度以上にならない場合には、除霜運転を実行する制御ユニット４を備えたので、運転開始時に冷媒温度の上昇が見られない場合、蒸発熱交換器２４への着霜の可能性があるとして除霜運転を実行することができ、器具が正常であるにも関わらず故障しているという誤判定を防止することで、故障判定の精度を改善することができる。
【００５２】
また、制御ユニット４は、除霜運転終了後の第２設定時間以内に冷媒温度が第１設定温度以上にならない場合には、器具の故障であると判定して所定のエラー動作を実行するので、除霜運転を実行しても冷媒温度の上昇が見られない場合、器具が故障していると確実に故障判定することができる。
【００５３】
さらに、制御ユニット４は、外気温度が第２設定温度以上の場合には、除霜運転を実行することなく器具の故障であると判定して所定のエラー動作を実行するので、外気温度が高い場合、蒸発熱交換器２４への着霜も発生しないため、除霜運転を実行しないことで故障判定の時間を短縮することができる。
【実施例２】
【００５４】
次に、実施例１の故障判定運転制御を部分的に変更した実施例２について説明する。尚、実施例１では、器具の故障判定に圧縮機２１から吐出される冷媒温度を利用しているが、この実施例２では、凝縮熱交換器２４で加熱される湯水温度を利用している。
【００５５】
ヒートポンプ式熱源機３を運転開始する際に、制御ユニット４により自動的に実行される故障判定運転制御について、図３のフローチャートに基づいて説明する。尚、図中の符号Ｓｉ（ｉ=１，２，・・）は各ステップを示す。この故障判定運転制御の制御プログラムは、制御ユニット４に予め格納されている。尚、Ｓ１〜Ｓ３，Ｓ６〜Ｓ１１，Ｓ１４，Ｓ１５は、実施例１と同様であるので、説明は省略する。
【００５６】
先ずは、前記実施例１の図２のＳ４に代えてＳ１６では、湯水温度センサ１５ａの検出信号を読み込み、この検出信号に基づいて、制御ユニット４は、凝縮熱交換器２２の熱交換器通路部２２ａから流出する湯水温度を算出し、Ｓ１７に移行する。
【００５７】
次に、前記実施例１の図２のＳ５に代えてＳ１７では、湯水温度が第１設定温度（例えば４０〜７０度程度）未満か否かの判定を行い、湯水温度が第１設定温度未満の場合（第１設定温度以上でない場合）には、Ｓ１７の判定がＹｅｓとなり、Ｓ６に移行する。湯水温度が第１設定温度以上の場合には、Ｓ１７の判定がＮｏとなり、Ｓ７に移行し、ヒートポンプ式熱源機３が正常であると判定して、リターンする。尚、第１設定温度は、要求される湯水温度から２０℃程度低い温度に設定されることが望ましい。
【００５８】
次に、前記実施例１の図２のＳ１２に代えてＳ１８では、湯水温度センサ１５ａの検出信号を読み込み、この検出信号に基づいて、制御ユニット４は、凝縮熱交換器２２の熱交換器通路部２２ａから流出する湯水温度を算出し、Ｓ１９に移行する。
【００５９】
次に、前記実施例１の図２のＳ１３に代えてＳ１９では、湯水温度が第１設定温度（例えば４０〜７０度程度）未満か否かの判定を行い、湯水温度が第１設定温度未満の場合（第１設定温度以上でない場合）には、Ｓ１９の判定がＹｅｓとなり、Ｓ１４に移行する。湯水温度が第１設定温度以上の場合には、Ｓ１９の判定がＮｏとなり、Ｓ７に移行し、ヒートポンプ式熱源機３が正常であると判定して、リターンする。
【００６０】
このように、ヒートポンプ給湯装置１は、ヒートポンプ式熱源機３の運転開始から第１設定時間以内に、凝縮熱交換器２４で加熱される湯水温度が、第１設定温度以上にならない場合には、除霜運転を実行する制御ユニット４を備えたので、運転開始時に湯水温度の上昇が見られない場合、蒸発熱交換器２４への着霜の可能性があるとして除霜運転を実行することができ、器具が正常であるにも関わらず故障しているという誤判定を防止することで、故障判定の精度を改善することができる。
【００６１】
次に、前記実施例１，２を部分的に変更した形態について説明する。
［１］前記実施例１，２において、第１設定時間、第２設定時間、第１設定温度、第２設定温度は、ほんの１例を示したに過ぎず、ヒートポンプ給湯装置１の機能や出力等に応じて適宜変更可能である。
【００６２】
［２］前記実施例１，２において、バイパス通路３１は、凝縮熱交換器２２と膨張弁２３とをバイパスするように設けられているが、除霜運転時に膨張弁２３を全開状態に設定可能であれば、凝縮熱交換器２２のみをバイパスするように設けられても良い。
【００６３】
［３］その他、当業者であれば、本発明の趣旨を逸脱することなく、前記実施例に種々の変更を付加した形態で実施可能であり、本発明はそのような変更形態を包含するものである。
【符号の説明】
【００６４】
１      ヒートポンプ給湯装置
３      ヒートポンプ式熱源機
４      制御ユニット
２１    圧縮機
２２    凝縮熱交換器
２３    膨張弁
２４    蒸発熱交換器
２５    冷媒配管
【図１】
2015224803.tif 000003
【図２】
2015224803.tif 000004
【図３】
2015224803.tif 000005